Podtech/llm-jp-corpus-v4-ja_patent huggingface dataset:
(57)【要約】【課題】ゴルフ靴専用中敷の提供。【解決手段】大部分を占める硬質クッション１と一部の軟質クッション２を一体成型した複合体で、最頂点までクラブを振り上げた時に、重心が在る足の中敷は、第三指骨、第三中足骨から第五指骨、第五中足骨のブロックに相対し、軟質クッション２を配置し、上記したブロック以外の他の部分には硬質クッション１を配置し、フィニッシュ時に、重心が在る足の中敷は、第三指骨、第三中足骨から第一指骨、第一中足骨のブロックに相対し、軟質クッション２を配置し、上記ブロック以外の他の部分には硬質クッション１を配置する。【選択図】図１
0003149415.tif 000002
【実用新案登録請求の範囲】
【請求項１】
大部分を占める硬質クッションと一部の軟質クッションを一体成型した複合体で、
最頂点までクラブを振り上げた時に、重心が在る足の中敷は、第三指骨、第三中足骨から第五指骨、第五中足骨のブロックに相対し、前記軟質クッションを配置し、前記ブロック以外の他の部分には前記硬質クッションを配置し、
フィニッシュ時に、重心が在る足の中敷は、第三指骨、第三中足骨から第一指骨、第一中足骨のブロックに相対し、前記軟質クッションを配置し、前記ブロック以外の他の部分には前記硬質クッションを配置することを特徴とする、ゴルフ靴専用中敷。
【考案の詳細な説明】
【技術分野】
【０００１】
本考案は、ゴルフ靴専用中敷に関し、特に硬質クッションと軟質クッションにより一体成型した複合体で、プレーヤーはスイング時に、足に対して最適なサポートを受けることができるゴルフ靴専用中敷に関するものである。
【背景技術】
【０００２】
スイング(swing)は、ゴルフの最も基本的な動作の一つで、スイングは一般的には、アドレス(address)、バックスイング(back swing)、ダウンスイング(down swing)の連続動作である。
【０００３】
内、アドレス(address)時には、体重は平均に両足にかかっている。一方、バックスイング時には、右打者(right hand player)においては、上半身の旋回に従い、重心はリズミカルに右足へと移動し、最頂点までクラブを振り上げた時には、身体の重心は右足に在り、しかも上半身の背面部は目標に向かっている。ダウンスイング時には、旋回に従い、重心はリズミカルに左足へと移動する。フィニッシュ(finish)時には、身体の重心は左足に在り、しかも身体の正面は目標に向かっている。反対に、バックスイング時には、左打者(left hand player)においては、上半身の旋回に従い、重心はリズミカルに左足へと移動し、最頂点までクラブを振り上げた時には、身体の重心は左足に在り、しかも上半身の背面部は目標に向かっている。ダウンスイング時には、旋回に従い、重心はリズミカルに右足へと移動する。フィニッシュ時には、身体の重心は右足に在り、しかも身体の正面は目標に向かっている。
【０００４】
スイング動作をシミュレートして製作する足圧力図から明らかなように、バックスイング時には、重心が在る足部の内側、つまり親指(big toe)、第一中足骨(first metatarsal head)、踵骨(calcaneus)が受ける力は最大で、ダウンスイング時には、重心が在る足部の外側、つまり第五中足骨(fifth metatarsal head)、踵骨(calcaneus)が受ける力が最大である。上記した部位には、硬質クッションでサポートを提供し、スイング動作により回内足(pronated)が発生しないようにする。
【考案の概要】
【考案が解決しようとする課題】
【０００５】
本考案が解決しようとする課題は、エアクッション専門メーカーとしての専門性を活用し、スイング動作に対応するゴルフ靴専用中敷を提供することである。
【課題を解決するための手段】
【０００６】
上記課題を解決するため、本考案は下記のゴルフ靴専用中敷を提供する。
ゴルフ靴専用中敷は、大部分を占める硬質クッションと一部の軟質クッションを一体成型した複合体で、
最頂点までクラブを振り上げた時に、重心が在る足の中敷は、第三指骨、第三中足骨から第五指骨、第五中足骨のブロックに相対し、該軟質クッションを配置し、前記ブロック以外の他の部分には該硬質クッションを配置する。
フィニッシュ時に、重心が在る足の中敷は、第三指骨、第三中足骨から第一指骨、第一中足骨のブロックに相対し、該軟質クッションを配置し、前記ブロック以外の他の部分には該硬質クッションを配置する。
【考案の効果】
【０００７】
本考案は、異なるブロックに異なる硬度のクッションを配置する設計により、運動力学原理に符合し、ゴルファーのスイング動作時に、足に対して最適なサポート効果を提供することができる。
【図面の簡単な説明】
【０００８】
【図１】本考案の外観立体図である。
【図２】右打者の右足靴中敷の模式図である。
【図３】右打者の左足靴中敷の模式図である。
【考案を実施するための形態】
【０００９】
以下に図面を参照しながら本考案を実施するための形態について詳細に説明する。図１は、本考案の外観立体図で、図２は、右打者の右足靴中敷の模式図で、図３は、右打者の左足靴中敷の模式図である。図に示すように、本考案ゴルフ靴専用中敷は、大部分を占める硬質クッション１と一部の軟質クッション２を一体成型した複合体である。右足中敷は第三指骨(phalange)、第三中足骨から第五指骨、第五中足骨のブロックに相対し、軟質クッション２を配置し、上記したブロック以外の他の部分には硬質クッション１を配置する。左足中敷は第三指骨(phalange)、第三中足骨から第一指骨、第一中足骨のブロックに相対し、軟質クッション２を配置し、上記したブロック以外の他の部分には硬質クッション１を配置する。
【００１０】
反対に、左打者の場合には、左足中敷は第三指骨(phalange)、第三中足骨から第五指骨、第五中足骨のブロックに相対し、軟質クッション２を配置し、上記したブロック以外の他の部分には硬質クッション１を配置する。右足中敷は第三指骨(phalange)、第三中足骨から第一指骨、第一中足骨のブロックに相対し、軟質クッション２を配置し、上記したブロック以外の他の部分には硬質クッション１を配置する。
【００１１】
上記したように、異なるブロックに異なる硬度のクッションを配置する設計により、運動力学原理に符合し、ゴルファーのスイング動作時に、足に対して最適なサポート効果を提供することができる。
【００１２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１３】
１  硬質クッション
２  軟質クッション
【図１】
0003149415.tif 000003
【図２】
0003149415.tif 000004
【図３】
0003149415.tif 000005
(57)【要約】【課題】身体深部まで磁力が到達する磁気治療器を提供する。【解決手段】片面に粘着剤層を有する粘着シート２１の中央に、片面に複数個の半球状の突起１１を設けた円盤状の磁石体１０を粘着した磁気治療器２０である。磁力が遠方まで届くため、身体深部まで磁力が到達するので磁気治療効果が高い。また、突起１１が皮膚に当たることにより指圧となり、患部の血行を促進することができる。突起１１に角がないので、突起１１を皮膚に当てても皮膚を傷つける恐れがない。磁石体を肩や腰などの患部に貼り付けることができるので、磁力により患部の血行を良くし凝りをほぐすことができる。【選択図】図２
0003149452.tif 000002
【実用新案登録請求の範囲】
【請求項１】
円盤状の磁石体の片面に複数個の突起を設けた
ことを特徴とする磁石体。
【請求項２】
前記突起が半球状である
ことを特徴とする請求項１記載の磁石体。
【請求項３】
片面に粘着剤層を有する粘着シートの中央に請求項１記載の磁石体を粘着した
ことを特徴とする磁気治療器。
【考案の詳細な説明】
【技術分野】
【０００１】
本考案は、磁気治療器に関する。さらに詳しくは、身体深部まで磁力が到達する磁気治療器に関する。
【背景技術】
【０００２】
従来の磁気治療器としては、粘着シートの中央に円盤状の粒状磁石体を設けたものが知られている（例えば特許文献１）。この磁気治療器を肩や腰などの患部に貼り付けることにより、磁力により患部の血行を良くし凝りをほぐすことができる。
【０００３】
しかるに、円盤状の磁石体における磁力線の分布は、図４に示すように磁石表面から放射状に延びるので、磁力線は四方へ分散し易く、磁力線が十分に遠方まで届かない。そのため、これを磁気治療器に使用した場合、身体深部へ磁力の作用が及ばず、有効な治療効果が得られ難いという問題がある。
【先行技術文献】
【特許文献】
【０００４】
【特許文献１】特開２００５−２９６４５５号公報
【考案の概要】
【考案が解決しようとする課題】
【０００５】
本考案は上記事情に鑑み、身体深部まで磁力が到達する磁気治療器を提供することを目的とする。
【課題を解決するための手段】
【０００６】
第１考案の磁石体は、円盤状の磁石体の片面に複数個の突起を設けたことを特徴とする。
第２考案の磁石体は、第１考案において、前記突起が半球状であることを特徴とする。
第３考案の磁気治療器は、片面に粘着剤層を有する粘着シートの中央に請求項１記載の磁石体を粘着したことを特徴とする。
【考案の効果】
【０００７】
第１考案によれば、磁石体に複数個の突起を設けることにより磁力が磁石体表面に対し垂直方向に延びる成分が多くなる。このため磁力が遠方まで届き、身体深部まで磁力が到達するので磁気治療効果が高い。また、突起が皮膚に当たることにより指圧となり、患部の血行を促進することができる。
第２考案によれば、突起に角がないので、突起を皮膚に当てても皮膚を傷つける恐れがない。
第３考案によれば、磁石体を肩や腰などの患部に貼り付けることができるので、磁力により患部の血行を良くし凝りをほぐすことができる。
【図面の簡単な説明】
【０００８】
【図１】本考案の一実施形態に係る磁石体の斜視図である。
【図２】本考案の一実施形態に係る磁気治療器の斜視図である。
【図３】本考案の一実施形態に係る磁石体の磁力線の分布を示す断面図である。
【図４】従来技術の磁石体の磁力線の分布を示す断面図である。
【考案を実施するための形態】
【０００９】
つぎに、本考案の実施形態を図面に基づき説明する。
図１は本考案の一実施形態に係る磁石体１０の斜視図である。
図１に示すように、磁石体１０は円盤状をしており、その片面には半球状の突起１１が設けられている。突起１１は磁石体１０の中央に１個設けられており、その周りに等間隔に３個設けられている。
【００１０】
図３は磁石体１０の磁力線の分布を示す断面図である。突起１１が無い磁石体の磁力線の分布を示す図４と比較すると、本考案の磁石体１０の磁力線の方が磁石体１０表面から上方遠方まで延び磁石体１０表面に対し垂直成分が多いことが分かる。磁力線は磁石体１０の表面に対して垂直に放出されるため、突起１１表面から放出される磁力線は磁石体１１の水平面に対して斜めに放出されることになるが、隣り合う突起１１から放出される磁力線同士が対向し互いに影響しあうため、磁石体１０の上方向遠方まで伸びることができるのである。このように、突起１１を設けることにより磁力が遠方まで届くようになり、その結果、磁石体１０の遠方における磁力が高くなる。そのため本考案の磁石体１０を患部に貼り付ければ、身体深部まで磁力が到達するので磁気治療効果が高い。
【００１１】
また、磁石体１０を磁気治療器として用いる際には、突起１１が設けられている面を皮膚に当てるが、突起１１を皮膚に当てることにより指圧となり、患部の血行を促進することができる。
【００１２】
本実施形態では突起１１を半球状としたが、これに限られず、台形や円錐などの形状でもよい。しかし、半球状とすれば角がなくなるので、突起１１を皮膚に当てても、皮膚を傷つける恐れがないため好ましい。
【００１３】
なお、磁石体１０は磁性があればよく、その材質、製造方法に限定はないが、例えば、フェライトのように磁性粉末を圧縮形成し焼結した後、着磁処理を施すことで形成すればよい。
【００１４】
また、本実施形態では突起１１を４個設けたが、これに限定されず、磁石体１０の大きさに合わせて、磁力線が遠方まで届くように、その数、大きさ、配置を選択することが好ましい。
【００１５】
図２は本考案の一実施形態に係る磁気治療器２０の斜視図である。
図２に示すように、磁気治療器２０は、片面に粘着剤層を有する粘着シート２１の中央に上記の磁石体１０が粘着されることで形成されている。磁石体１０の突起１１が無い方の面を粘着材層により粘着している。
【００１６】
粘着シート２１の材料には特に限定は無いが、通気性を有する薄い布または合成樹脂シートなど、いわゆる絆創膏を用いることが好ましい。また、粘着剤層は肌へ直接貼り付けるため、肌への刺激が少ない材料からなる粘着材を用いることが好ましい。
【００１７】
磁気治療器２０は、その粘着剤層により、磁石体１０を肩や腰などの患部に貼り付けることができるので、磁石体１０の磁力および指圧効果により、患部の血行を良くし凝りをほぐすことができる。
磁石体１０の磁力は患部の深くまで浸透することができるので、血行促進などの効果が良く、治療効果が高い。
【００１８】
なお、磁石体１０および粘着シート２１の大きさには限定は無いが、例えば、磁石体の直径を5mm程度とし、粘着シート２１の直径を2cm程度とすれば、手軽に扱え、患部に張っても違和感なく使用することができる。
【００１９】
また、他の実施形態として、枕、マットなどの寝具表面、あるいは衣類の表面に複数個の磁石体１０を配設した磁気治療器としてもよい。
【符号の説明】
【００２０】
１０  磁石体
１１  突起
２０  磁気治療器
２１  粘着シート
【図１】
0003149452.tif 000003
【図２】
0003149452.tif 000004
【図３】
0003149452.tif 000005
【図４】
0003149452.tif 000006
(57)【要約】      （修正有）【課題】ジーンズ・パンツの取り出し出しやすいコイン入れの箇所に、ポケットを設け、該ポケットに直接携帯電話を入れておくことができ、すばやく取り出すことができ、呼出し音も聞きやすい携帯電話の専用ポケットを有するジーンズ・パンツを提供する。【解決手段】ジーンズ・パンツにおいて、パンツ本体１の前身頃に縫着されている既存のコイン入れの箇所に、携帯電話の頭部を残し、挿入可能な深さを有する蓋なしポケット２を設けたことを特徴とするジーンズ・パンツから構成される。尚、ジーンズ・パンツ１を着用する者の右利き、左利きによって、ポケット２の位置は、前身頃の左右のどちらに設けてもよい。【選択図】図１
0003149458.tif 000002
【実用新案登録請求の範囲】
【請求項１】
ジーンズ・パンツにおいて、パンツ本体（１）の前身頃に縫着されている既存のコイン入れ（Ｃ）の箇所に、携帯電話（Ｘ）の頭部（Ｈ）を残し、挿入可能な深さ（Ｄ）を有する蓋なしポケット（２）を設けたことを特徴とする携帯電話の専用ポケットを有するジーンズ・パンツ。
【考案の詳細な説明】
【技術分野】
【０００１】
この考案は、ジーンズ・パンツの携帯電話入れ用のポケットに関するものである。
【背景技術】
【０００２】
従来、ジーンズ・パンツは、農夫の作業服として定着していたものであるが、近年では、肩のこらないプライベートな服とし、老若男女を問わず街着としても多いに活用されている。
【０００３】
一方、携帯電話の普及により、殆どの者が使用しているが、ジーンズ・パンツには専用のポケットがなく、そのため上着のポケットに入れるか、ポケットのない上着では、専用の蓋付きケース（Ａ）をベルト（Ｂ）から吊りさげ、袋の内部に携帯電話を入れて使用していた。
例えば、特許文献１のように。
【先行技術文献】
【特許文献】
【０００４】
【特許文献１】特開２００５−１６０７３４号公報
【０００５】
しかし、このケースは、ジーンズ・パンツの前部の左・右いずれに設けても、該パンツのサイドポケットを塞いでしまう結果となり、また、ジーンズ・パンツにベルトをしないで着用する場合には、ケースを吊り下げることができず、さらに、ケースは、蓋付きのため呼出し音が聞こえ難いものであった。
【０００６】
そこで、ジーンズ・パンツには、大抵、右側のポケットの上に、コイン入れ用のポケットが設けられている。このポケットは、以前には、ウォッチポケットと呼ばれ、懐中時計を入れるものであったが、腕時計の発達により不要となって、現在はコインを入れるようになっているが、この位置を利用して携帯電話用のポケットを設けるものである。
【考案の概要】
【考案が解決しようとする課題】
【０００７】
そこで、この考案は、ジーンズ・パンツの取り出し出しやすいコイン入れの箇所に、蓋なしのポケットを設け、該ポケットに直接携帯電話を入れておくことにより、すばやく取り出すことができ、呼出し音も聞きやすい携帯電話の専用ポケットを有するジーンズ・パンツを開発・提供することにある。
【課題を解決するための手段】
【０００８】
この考案は、ジーンズ・パンツ（１）において、前身頃に縫着されている既存のコイン入れ（Ｃ）の箇所に、専用のポケット（２）を設け、該ポケットに携帯電話（Ｘ）の頭部を残して挿入することを特徴とするジーンズ・パンツにおける携帯電話（Ｘ）専用ポケットとするものである。
【考案の効果】
【０００９】
この考案によると、ジーンズ・パンツの前方右側のポケットの従来コイン入れポケットのある部分に、携帯電話用の蓋なしポケットを形成したため、ベルトを装着しないでも使用でき、便利であり、ポケットも、携帯電話の出し入れが容易な大きさに設けることにより、製造も極めて簡単であり、該ポケットに挿入された携帯電話は取り出しやすく、また、蓋なしのポケットであり、携帯電話は、該ポケットから頭部が露出しており、しかも、ズボンの前部に位置しているため、呼出し音も聞こえやすく、迅速に取り出すことができる等極めて有益なる効果を奏するものである。
【図面の簡単な説明】
【００１０】
【図１】この考案の一実施例を示す一部欠截正面図である。
【図２】この考案の一実施例を示す部分拡大正面図である。
【図３】従来例を示す一部欠截斜視図である。
【考案を実施するための形態】
【００１１】
次に、この考案の一実施例を図１に基づいて詳細に説明すると、ジーンズ・パンツにおいて、パンツ本体（１）の前身頃に縫着されている既存のコイン入れ（Ｃ）の箇所に、携帯電話（Ｘ）の頭部（Ｈ）を残し、挿入可能な深さ（Ｄ）を有する蓋なしポケット（２）を設けたことを特徴とする携帯電話の専用ポケットを有するジーンズ・パンツから構成される。
【００１２】
尚、ジーンズ・パンツ（１）の、この携帯電話用のポケット（２）は、ジーンズ・パンツを着用する者の、右利きか、左利きかによって、携帯電話用ポケット（２）の位置を、前身頃の左右のどちらに設けてもよいものである。
【産業上の利用可能性】
【００１３】
この考案の携帯電話の専用ポケットを有するジーンズ・パンツのポケットの技術を確立し、大量に実施・販売することにより、産業上の利用可能性があるものである。
【符号の説明】
【００１４】
１  ジーンズ・パンツ
２  蓋なしポケット
Ｃ  既存のコイン入れ
Ｄ  深さ
Ｈ  頭部
Ｘ  携帯電話
【図１】
0003149458.tif 000003
【図２】
0003149458.tif 000004
【図３】
0003149458.tif 000005
(57)【要約】【課題】  ３種の確率分布を表すことができるサイコロ型の学習用教材を提供する。【解決手段】  サイコロ１０は、正面１１に「１」、左側面１２に「２」、平面１５に「３」、背面１３に「６」、右側面１４に「５」、底面１６に「４」が表示されている。サイコロ１０の３辺の長さの比率は８：９：１０で構成されているため、それぞれの対になる面、すなわち、正面１１と背面１３と、右側面１４と左側面１２と、平面１５と底面１６と、の面積はそれぞれ異なっている。【選択図】  図１
0003149462.tif 000002
【実用新案登録請求の範囲】
【請求項１】
直方体よりなるサイコロであって、前記直方体を構成する３辺の長さが異なることを特徴とする変形サイコロ。
【請求項２】
前記３辺の長さの比率が８：９：１０であることを特徴とする請求項１に記載の変形サイコロ。
【請求項３】
前記３辺の長さが１６ｍｍ、１８ｍｍ、２０ｍｍであることを特徴とする請求項１に記載の変形サイコロ。
【考案の詳細な説明】
【技術分野】
【０００１】
本考案は、確率の学習用教材に用いられるサイコロの構造に関する。
【背景技術】
【０００２】
周知のとおり一般的なサイコロにおける「１」の目が出る確率は、１／６であり、その意味は、大量に反復試行を行った際の「１」の目が出る割合や、度合いを示すものである。
ところが、教育現場において生徒は、この確率の意味を「サイコロを６回振ったら、１回は１が出る可能性がある」と誤って解釈することが報告されている。
【０００３】
このような誤解を防ぐ確率の学習用教材として、２辺の長さが等しく、１辺の長さだけ異なる６面体のサイコロが知られている（非特許文献１参照）。
【０００４】
このサイコロは、大量偶然現象の実験を行うことによって、相対度数の安定について理解を深める教材として用いられている。
たとえば、１から６までの数字が表示された面のうち、「１」と「６」の目の面積が小さいサイコロを用いて多くの試行を行うと、表２に示すように、「１」と「６」の２面の出る回数が低く、その他の４面はほとんど同一の回数で出る。
【表２】
0003149462.tif 000003
つまり、正６面体のサイコロでは、どの目においても等しい面積であるため試行回数の増加に伴ってほぼ均等にどの目も出るが、このサイコロのように、他の面の面積よりも小さい「１」または「６」の面を有する場合には、この２面の出る回数が減少して他の面の出る回数が均等に増加する。
【０００５】
ところで、このサイコロを用いて連続した６回の反復試行を行ったときは、「１」が１回出るときもあれば、連続して複数回出ることもあり、その一方で「１」が全く出ないこともあるため、上述した「６回に１回は１の目が出る可能性がある」という確率の解釈ではこの現象を説明することができない。同様のことが正６面体のサイコロでも起き得るが、このサイコロは、正６面体のサイコロに比べてより「１」と「６」の目が出にくいため、生徒に対する確率の説明においては好適である。
【先行技術文献】
【非特許文献】
【０００６】
【非特許文献１】「数学教室」，Ｎｏ．２５３，株式会社国土社，１９７４年
【考案の概要】
【考案が解決しようとする課題】
【０００７】
しかしながら、より多くの確率分布を同時に表すことができる方が試行回数と相対度数との関連性を示すことが可能になるため、生徒の好奇心を向上させて理解を深めることが望めるが、非特許文献１に記載されたサイコロでは、特定の２つの目とそれ以外の目の２種類の確率分布しか表すことができない。そのため教育現場では、２種類を越える確率分布を表すことができる教材があればより有用である。
【０００８】
本考案は、上述した事情に鑑みてなされたものであり、３種の確率分布を表すことができるサイコロ型の学習用教材を提供することを主たる目的とする。
【課題を解決するための手段】
【０００９】
しかして、この考案にかかる変形サイコロは、６面体(直方体)よりなるサイコロであって、前記６面体（直方体）を構成する３辺の長さが異なることを特徴としている。
したがって、３対の面の面積がそれぞれ異なるため、サイコロの各目における相対度数を３種の確率分布として表すことができる。
【００１０】
また、前記３辺の長さの比率が８：９：１０であることが望ましく、特に前記３辺の長さが１６ｍｍ、１８ｍｍ、２０ｍｍであることが望ましい。
【考案の効果】
【００１１】
以上のように本考案によれば、サイコロを構成する３辺の長さが異なるため、サイコロの各目における相対度数を３種の確率分布として表すことができるので、生徒の好奇心をより向上させることで確率の理解を深めることが可能となる。
【図面の簡単な説明】
【００１２】
【図１】図１（ａ）は、サイコロの構造を示した斜視図である。図１（ｂ）は、（ａ）の裏側を示したサイコロの斜視図である。
【図２】サイコロを４９３５０回振ったときにおける、各面の相対度数を示す棒グラフである。
【考案を実施するための形態】
【００１３】
以下、本考案の変形サイコロについて図面を参照して説明する。
【００１４】
図１（ａ）に示すように、サイコロ１０は、正面１１に「１」、左側面１２に「２」、平面１５に「３」が表示されている。また、図１（ｂ）に示すように背面１３に「６」、右側面１４に「５」、底面１６に「４」が表示されている。
【００１５】
サイコロ１０を構成する各面の寸法は、特には限定されないが、３辺の比率が８：９：１０の比率が望ましく、図１（ａ）および（ｂ）においては説明のために、縦１６ｍｍ、横１８ｍｍ、高さ２０ｍｍで構成されている。
ここで、縦とは左側面１２と底面１６とが接する辺の長さであり、横とは正面１１と底面１６とが接する辺の長さであり、高さとは正面１１と左側面１２が接する辺の長さである。
【００１６】
このサイコロ１０を４９３５０回振ったときにおける各目の出た回数と相対度数を表１に、各目と相対度数との関係を図２にそれぞれ示した。
【表１】
0003149462.tif 000004
表１に示すように、面積の大きい正面１１と背面１３が最も出た回数が多く、次いで、右側面１４と左側面１２の出た回数が多く、平面１５と底面１６は最も出た回数が少ない。また、各目の面積の大きさに伴って、相対度数も変化している。
また、図２では、サイコロ１０の３辺の長さが異なることによって、対になるそれぞれ３つの面の面積が異なるため、Ｕ字型の３種の相対度数の分布に近づいて行くことが示されている。すなわち、面積が最も大きいサイコロ１の正面１１と背面１３が最も出る回数が多く、面積が最も小さいサイコロ１の平面１５と底面１６が最も出る回数が少ない。
【００１７】
以上のように、サイコロ１０を構成する３辺の長さが異なることにより、面積が異なるそれぞれの面の試行回数と相対度数の関係を表すことができるため、生徒の好奇心を向上させて確率の理解を深めることが可能となる。
【符号の説明】
【００１８】
１０  サイコロ
１１  正面
１２  左側面
１３  背面
１４  右側面
１５  平面
１６  底面
【図１】
0003149462.tif 000005
【図２】
0003149462.tif 000006
(57)【要約】      （修正有）【課題】傘に付着した水滴が外部にでない構造を有した傘を提供する。【解決手段】傘の取手の反対側の先端に蛇腹状の付属物を取り付け、傘が雨に濡れた場合に、その蛇腹を傘の取手部分まで引き上げることにより、傘に付着した水滴が外部にでない構造を設ける。脱着式にするか、傘に一体構造として設けるかは問わない。その形状、色、サイズ、装着方法は問わない。傘の蛇腹状の付属物を傘の取手部分まで引き上げない場合でも、蛇腹と一体をなすカップ状の構造が、傘の幕をつたって落ちる水滴を受けとめる構造を設ける。【選択図】図５
0003149491.tif 000002
【実用新案登録請求の範囲】
【請求項１】
傘の取手の反対側の先端に蛇腹状の（伸縮などして傘を覆う他の状態を含む）付属物を取り付け、傘が雨に濡れた場合に、その蛇腹を傘の取手部分まで引き上げることにより、傘に付着した水滴が外部にでない構造を設ける。脱着式にするか、傘に一体構造として設けるかは問わない。その材質、形状、色、サイズ、装着方法は問わない。傘の蛇腹状の付属物を傘の取手部分まで引き上げない場合でも、蛇腹と一体をなすカップ状の構造が、傘の幕をつたって落ちる水滴を受けとめる構造を設ける。蛇腹状の構造とカップ状の構造を併用するか否かは問わない。
蛇腹状の付属物が、引き上げ時、折り畳み時に、バラけないようにするため、フックや凹凸部などを設け固定する構造を含む。
【考案の詳細な説明】
【技術分野】
【０００１】本考案は、傘の取手の反対側の先端に蛇腹状の付属物を取り付け、傘が雨に濡れた場合に、その蛇腹を傘の取手部分まで引き上げることにより、傘に付着した水滴が外部にでない構造を設け、傘に付着した水滴が外部にでないようにすることを可能とするものである。また傘の蛇腹状の付属物を傘の取手部分まで引き上げない場合でも、蛇腹と一体をなすカップ状の構造が、傘の幕をつたって落ちる水滴を受けとめる構造を設けることで、傘の先端をつたって落ちようとする水滴を受けとめ、水が滴らないようにすることを可能とするものである。
【背景技術】
【０００２】本考案の蛇腹状の付属物はプラスチックなどにより一体成形などが可能である。
【考案の開示】
【考案が解決しようとする課題】
【０００３】傘が雨に濡れた後、傘から水が滴り落ちたり、傘の表面が濡れると困るものに接触することなどを防止するものである。
【課題を解決するための手段】
【０００４】傘の取手の反対側の先端に蛇腹状の付属物を取り付け、傘が雨に濡れた場合に、その蛇腹を傘の取手部分まで引き上げることにより、傘に付着した水滴が外部にでない構造を設ける。脱着式にするか、傘に一体構造として設けるかは問わない。その材質、形状、色、サイズ、装着方法は問わない。傘の蛇腹状の付属物を傘の取手部分まで引き上げない場合でも、蛇腹と一体をなすカップ状の構造が、傘の幕をつたって落ちる水滴を受けとめる構造を設ける。蛇腹状の構造とカップ状の構造を併用するか否かは問わない。
蛇腹状の付属物が、引き上げ時、折り畳み時にバラけないようにするため、フックや凹凸部を設け固定する構造を含む。
【考案の効果】
【０００５】傘の取手の反対側の先端に蛇腹状の付属物を取り付け、傘が雨に濡れた場合に、その蛇腹を傘の取手部分まで引き上げることにより、傘に付着した水が外部に漏れ、あるいは滴らないようにすることが可能となる。また傘の蛇腹状の付属物を傘の取手部分まで引き上げない場合でも、蛇腹と一体をなすカップ状の構造が、傘の幕をつたって落ちる水滴を受け、水が滴らないようにすることが可能となる。
【考案を実施するための最良の形態】
【０００６】傘の取手の反対側の先端部分に蛇腹状の付属物を取り付ける際には、消耗性があることから、交換可能な脱着式とすることが可能である。蛇腹を引き上げなくても、水が滴り落ちないようにするカップ状の構造を併用することが最も最良の形態の一つとなり得る。また蛇腹引き上げ時、折り畳み時に蛇腹がバラけないように固定する構造を合わせて設けることにより、更に良い形態での使用が可能となる。
【実施例】
【０００７】傘の取手の反対側の先端に蛇腹状の付属物を取り付け、傘が雨に濡れた場合に、その蛇腹を傘の取手部分まで引き上げることにより、傘に付着した水が外部に漏れ、あるいは滴らないようにすることが可能となる。また傘の蛇腹状の付属物を傘の取手部分まで引き上げない場合でも、蛇腹と一体をなすカップ状の構造が、傘の幕をつたって落ちる水滴を受け、水が滴らないようにすることが可能となる。
【産業上の利用可能性】
【０００８】傘の取手の反対側の先端に蛇腹状の付属物を取り付け、傘が雨に濡れた場合に、その蛇腹を傘の取手部分まで引き上げることにより、傘に付着した水が外部に漏れ、あるいは滴らないようにすることにより、通勤電車、スーパー、デパートなどの公共の場所において、他者への迷惑を防止することができ、また床に滴る水により起こる事故などを防止することが可能となる。
【図面の簡単な説明】
【０００９】蛇腹型、傘の取手の反対側先端を考案付属物の内部で固定、蛇腹がバラけないようにするプッシュオンフック構造などを設けた一例である。
【図１】蛇腹型の付属物を縮めた場合を示す正面図である。
【図２】蛇腹型の付属物を伸ばした場合を示す正面図である。
【図３】蛇腹型の付属物を伸ばした状態を示す断面図である。
【図４】蛇腹型の付属物を縮めた状態を傘の取手の反対側の先端に装着した場合を示す一例である。
【図５】蛇腹型の付属物を伸ばした状態で、閉じた傘を覆う場合を示す一例である。
【符号の説明】
１．  蛇腹（蛇腹でなくとも伸縮するものであればよい）
２．  凹部（凸部がはまり、蛇腹縮めた状態でのバラツキを抑え収納する一例）
３．  凸部（凹部に入る）
４．  フック（蛇腹を伸ばした状態で蛇腹を固定するための一つの例）
５．  フック留め（フックを留める留め具の例）
６．  傘の先端を固定する部分（傘の取手の反対側の先端を固定し、蛇腹の中央に安定して先端が固定されるようにするための、先端を挟みこむ構造の一例
７．  傘の幕をつたって落ちる水を受ける空間（傘を閉じ、蛇腹を引き上げない場合でも、この空間で水を受けることで、水が滴らないようにする一例）
【図１】
0003149491.tif 000003
【図２】
0003149491.tif 000004
【図３】
0003149491.tif 000005
【図４】
0003149491.tif 000006
【図５】
0003149491.tif 000007
【手続補正書】
【提出日】平成21年1月4日(2009.1.4)
【手続補正１】
【補正対象書類名】実用新案登録請求の範囲
【補正対象項目名】全文
【補正方法】変更
【補正の内容】
【実用新案登録請求の範囲】
【請求項１】
傘の取手の反対側の先端に、蛇腹状あるいは伸縮性のある付属物を取り付けた傘であって、この蛇腹状あるいは伸縮性のある付属物を伸ばすことで、閉じられた傘を覆うこともできる構造を有し、傘の幕をつたって落ちる水滴を付属物の内部で受けとめる構造を有することを特徴とする水の滴らない傘。
(57)【要約】      （修正有）【課題】液体の注ぎ口部分が伸びて、詰め替える先の容器の中に入るので、詰め替えを非常に容易にする詰め替え容器を提供する。【解決手段】液体の詰め替え用容器の注ぎ口に、蛇腹、延長ストローなど構造を問わない伸縮性のある管状の構造、あるいは長い筒状の構造を設け、注ぐ際に当該管状ないし筒状の部分を液体容器の中に差し込んで、液体の移し替えを容易にする構造を設ける。【選択図】図１
0003149492.tif 000002
【実用新案登録請求の範囲】
【請求項１】
液体または性状が流動性であるシャンプー、リンス、ハンドソープ等（以下液体という）の詰め替え用容器の注ぎ口に、蛇腹、延長ストローなど構造を問わない伸縮性のある管状の構造、あるいは伸縮性の有無を問わない長い筒状の構造を設け、注ぐ際に当該管状ないし筒状の部分を液体容器の中に差し込んで、液体の移し替えを容易にする構造を設ける。管状ないし筒状構造の形状、材質、色、サイズ、場所は問わない。当該管状ないし筒状の部分を露出させるか、あるいは本体袋の注ぎ口部分にある本体袋の一部で管状ないし筒状の部分を覆うかは問わない。また管状ないし筒状部分などに封（キャップ、栓、ネジ栓等を含む）を設ける場合を含む。
【考案の詳細な説明】
【技術分野】
【０００１】本考案は、液体または性状が流動性であるシャンプー、リンス、ハンドソープ等（以下液体という）の詰め替え用容器の注ぎ口に、蛇腹、延長ストローなど構造を問わない伸縮性のある管状の構造、あるいは長い筒状の構造を設けることで、液体の詰め替えを容易にするものである。
【背景技術】
【０００２】本考案の伸縮性のある管状の構造、あるいは長い筒状の構造を、詰め替え容器の注ぎ口元に設けることは、プラスチック製の袋などの成形により容易に行うことができる。
【考案の開示】
【考案が解決しようとする課題】
【０００３】通常の詰め替え容器は、注ぎ口部分が短く、詰め替えの際に容器の口元に近づけても、非常に慎重にしなければ、こぼれることも多く、詰め替えを作業面、心理面において多少なりとも困難にしている面があるところ、本考案は、液体の詰め替え容器の注ぎ口部分が伸びて、詰め替える先の容器の中に入るので、詰め替えを非常に容易にすることを可能とする。
【課題を解決するための手段】
【０００４】液体または性状が流動性であるシャンプー、リンス、ハンドソープ等（以下液体という）の詰め替え用容器の注ぎ口に、蛇腹、延長ストローなど構造を問わない伸縮性のある管状の構造、あるいは長い筒状の構造を設け、注ぐ際に当該管状ないし筒状の部分を液体容器の中に差し込んで、液体の移し替えを容易にする構造を設ける。
【考案の効果】
【０００５】液体または性状が流動性であるシャンプー、リンス、ハンドソープ等（以下液体という）の詰め替え用容器の注ぎ口に、蛇腹、延長ストローなど構造を問わない伸縮性のある管状の構造、あるいは長い筒状の構造を設け、注ぐ際に当該管状ないし筒状の部分を液体容器の中に差し込んで詰め替えを行うことにより、詰め替え時に容器の口元から外部などにこぼれることを防止でき、詰め替え作業を容易かつ安全に行うことが可能となる。
【考案を実施するための最良の形態】
【０００６】液体または性状が流動性であるシャンプー、リンス、ハンドソープ等（以下液体という）の詰め替え用容器の注ぎ口に、蛇腹、延長ストローなど構造を問わない伸縮性のある管状の構造、あるいは長い筒状の構造を設ける場合、管状ないし筒状の構造が不使用時には隠れているほうが望ましく、通常は詰め替え容器内部に収納され、使用時に一端を引き出し管状ないし筒状にする方法が最良の形態の一つである。
【実施例】
【０００７】液体または性状が流動性であるシャンプー、リンス、ハンドソープ等（以下液体という）の詰め替え用容器の注ぎ口に、蛇腹、延長ストローなど構造を問わない伸縮性のある管状の構造、あるいは長い筒状の構造を設け、注ぐ際に当該管状ないし筒状の部分を液体容器の中に差し込んで詰め替えを行う。
【産業上の利用可能性】
【０００８】省資源、廃棄物の減少の目的のために、詰め替えが奨励されるべきところ、詰め替え時に、こぼれるなどすれば本末転倒ともなり、詰め替えの容易性が図られる必要があり、本考案は、液体等の詰め替えを容易にし、詰め替えを促進することを可能とする。
【図面の簡単な説明】
【０００９】本図は詰め替え容器の注ぎ口に蛇腹状の構造を設けるもので、使用時には伸ばして使用し、不使用時には容器の内部に収納される場合の一例を示すものである。
【図１】蛇腹状の詰め替え容器の注ぎ口を伸ばした場合の側面図である。
【図２】蛇腹状の詰め替え容器の注ぎ口が収納された場合の断面図である。
【符号の説明】
１．  詰め替え容器
２．  蛇腹（詰め替え容器の注ぎ口から伸びている例）
３．  蛇腹（詰め替え容器の注ぎ口内部に収納されている例）
４．  つまみ（収納された蛇腹を引き出すためのつまみを設ける場合の例）
【図１】
0003149492.tif 000003
【図２】
0003149492.tif 000004
【手続補正書】
【提出日】平成21年1月4日(2009.1.4)
【手続補正１】
【補正対象書類名】実用新案登録請求の範囲
【補正対象項目名】全文
【補正方法】変更
【補正の内容】
【実用新案登録請求の範囲】
【請求項１】
液体または性状が流動性であるシャンプー、リンス、ハンドソープなどの詰め替え用容器の注ぎ口部分が、蛇腹、延長ストローなどの長い筒状の構造を有していることを特徴とする詰め替え用容器。
(57)【要約】      （修正有）【課題】遺体への着用を容易とし、手を衣装の前面に出せるようにするとともに着用形態を変更できるようにした遺体用衣装を提供する。【解決手段】遺体の身長の約２倍の長さの一枚の布地の中央を絞ってその状態を紐または帯、若しくはリングなどの固定具３で固定して蝶のような形状とする。遺体の背面側となる布地の一方の側辺には適宜の間隔をあけて面ファスナーが取り付けてあり、前面となる他方の側辺には、遺体の手を衣装１の前面に出すスリット１１となる部分が胸の位置となるように面ファスナー４２、４３を間隔をあけて固定してある。下着等がスリット１１を通して見えることがないように隠し布２５を面ファスナー４４で布地の裏側に固定する。また、固定具３を遺体の肩に位置させると袈裟として着用できる。【選択図】図２
0003149438.tif 000002
【実用新案登録請求の範囲】
【請求項１】
布地の中央部を絞って固定具で固定して蝶のような形状とし、布地の側辺に間隔をあけて開閉具が取り付けてある遺体用衣装。
【請求項２】
請求項１において、開閉具が面ファスナーである遺体用衣装。
【考案の詳細な説明】
【技術分野】
【０００１】
本考案は、葬儀の際に遺体に着用させる衣装に関する。
【背景技術】
【０００２】
近年、葬儀の際に死者に着用させる衣装においては、一般的に用いられている仏衣の形態の死装束に代えて、例えば、特許文献１や特許文献２に記載されているような、洋装の衣装が用いられるようになってきている。
【先行技術文献】
【特許文献】
【０００３】
【特許文献１】特開２００２−１０２２９９号公報
【特許文献２】実用新案登録第３１２６１７５号公報
【０００４】
特許文献１に記載されている衣装は、ウエディングドレスを模したものであり、一枚布の衣装本体の側部と肩部に折返し部を連設して構成されており、棺内に安置された遺体に着用させた死装束の上部に重ね、覆うように着せ掛けるものである。
特許文献２に記載されている衣装は、一枚布によって形成された身頃部の一端側と他端側を面ファスナーで固定して遺体に衣装を着用させ、身ごろの左右に取り付けられた袖の袖ぐりの内径を３５ｃｍから３８ｃｍとすることで、遺体の腕が硬直して曲がったままでも袖に腕を通せるようにしたものである。
【考案の概要】
【考案が解決しようとする課題】
【０００５】
前述した特許文献１や特許文献２に記載されているように、葬儀の際に死者に着用させるための衣装は、遺体に着用させやすいように一枚の布地で遺体の上から覆って包み込む形態であり、袖のないタイプの衣装である。また、袖を設ける場合は、特許文献２のように袖ぐりを大きくするという手法がとられている。
【０００６】
本考案は、遺体を包み込むタイプの衣装として遺体への着用を容易とすると共に手を衣装の前面に出せるようにして手を組んだ状態を見せることができるようにするものである。
【課題を解決するための手段】
【０００７】
布地の中央部を絞って固定具で固定して蝶のような形状とし、布地の側辺に間隔をあけて開閉具が取り付けてある遺体用衣装である。
【考案の効果】
【０００８】
本考案の衣装は、遺体の姿勢をほとんど変えることなく着用させることができるため、遺体が棺内に安置した状態であっても容易に着用させることができる。
【図面の簡単な説明】
【０００９】
【図１】遺体用衣装の実施例の展開図。
【図２】本考案の遺体用衣装の着用状態の一例の正面図。
【考案を実施するための形態】
【００１０】
図１は、本考案の遺体用衣装１の展開図であり、遺体の身長の約２倍の長さの一枚の布地２の中央を絞ってその状態を紐または帯、若しくはリングなどの固定具３で固定してあり、蝶のような形状としてある。遺体用衣装１の生地はどのような生地でもよく、着用者または喪主の嗜好に合わせて選択することができるものである。
【００１１】
遺体の背面側となる布地２の一方の側辺２１には適宜の間隔をあけて面ファスナー４０、４１が取り付けてあり、遺体に着用させて面ファスナー４０、４１で側辺２１同士を合わせて固定する。遺体の前面となる他方の側辺２２には、遺体の手を衣装１の前面に出すスリット１１となる部分が胸の位置となるように面ファスナー４２、４３を間隔をあけて固定してある。  
【００１２】
スリット１１を設けたことによって下着等がスリット１１を通して見えることがないように生地２と同じ生地の隠し布２５を面ファスナー４４またはホック等で布地２の裏側に固定できるようにしてある。
【００１３】
布地２の中央部に設けた固定具３は、遺体に着用させた際に図２に示すように首または肩に位置するものであって衣装としてポイントとなるものであるので、適宜の装飾を施したものとする。必要に応じて宝飾品を施す。
【００１４】
遺体用衣装１を遺体に着用した状態を図２に示す。
図２（１）は、遺体用衣装１の中央部に設けてある固定具３を遺体の首の部分に位置させ、背面側となる側辺２１を遺体の背中にまわして合わせて面ファスナー４０、４１で固定してある。遺体の前面側は、前側側辺２２を遺体の前面に回して面ファスナー４２、４３によって固定してある。面ファスナー４２、４３は胸の位置にスリット１１が形成されるように間隔をあけて設けてあり、遺体の手を衣装の前に出して組ませることができる。スリット１１の裏側には布地２と同じ模様の隠し布２５を面ファスナーで固定し、下着等が見えないようにしてある。
【００１５】
本考案の遺体用衣装１の他の着用方法は、図２（２）に示すように、遺体に下着５を着用させ、固定具３を遺体の一方の肩に位置させ、遺体の側面において面ファスナーによって側辺を固定することによって袈裟のように着用することができる。
【産業上の利用可能性】
【００１６】
本考案の遺体用衣装は、着脱が容易であると共に手を衣装の上側に出して組ませることができ、死者を送る人々に安穏な状態であることを示すことができる。
【符号の説明】
【００１７】
１    遺体用衣装
１１  スリット
２    布地
２５  隠し布
３    固定具
４０〜４４  開閉具（面ファスナー）
５    下着
【図１】
0003149438.tif 000003
【図２】
0003149438.tif 000004
(57)【要約】【課題】より高い安全性を保証することができるシュレッダー安全スイッチ装置の提供。【解決手段】シュレッダー１ケース底部の紙落下口１１四周には、複数のスイッチ２を設置し、任意のスイッチ２はすべて、導線３により別のスイッチ２と電気的に連接し、スイッチ回路を形成し、スイッチ回路はさらに導線４により、シュレッダー制御回路と連接しループを形成し、スイッチ２は外力により触発され通電し、導線により次のスイッチ２に伝えられ、仮に次のスイッチ２が外力により触発されていなければ、伝送は中断され継続されず、つまり、スイッチ回路はシュレッダー制御回路とループを形成することができず、シュレッダー１は作動しない。【選択図】図１
0003149425.tif 000002
【実用新案登録請求の範囲】
【請求項１】
シュレッダーケース底部の紙落下口四周には、複数のスイッチを設置し、任意のスイッチはすべて、別のスイッチと電気的に連接し、スイッチ回路を形成し、
前記スイッチ回路はさらに、シュレッダー制御回路と連接し、ループを形成することを特徴とするシュレッダー安全スイッチ装置。
【請求項２】
請求項１記載のシュレッダー安全スイッチ装置において、前記スイッチは、一種の回路板で、外力により触発され通電することを特徴とするシュレッダー安全スイッチ装置。
【考案の詳細な説明】
【技術分野】
【０００１】
本考案はシュレッダーに関し、特にシュレッダー安全スイッチ装置に関する。
【背景技術】
【０００２】
公務に関する法律文書、領収書、レシート、クレジットカード番号、研究レポート、或いはクレジットカードの請求明細書、電話料金明細書等の家族の財務データ等の各種文書が、外部に漏れ悪用されることのないよう、これら機密性の高いファイル、或いはデータは、通常はシュレッダーを利用し破砕する。
すなわち、シュレッダーは、現代のビジネスシーンと家庭生活において、欠くべからざるものとなっている。
【０００３】
一般に、シュレッダーはケースを備え、該ケース正面には、紙を挿入する投入口を設置し、ケース内には、紙を破砕するシュレッダーメカニズム(shredder mechanism)を装置する。
該シュレッダーメカニズムは、ロータリーシャフト(rotary shafts)上に嵌設するカッティングブレード(cutting blades)を備え、モーター及びギアボックス(motor and gear box)により、平行かつ相対的に回転する該２本のロータリーシャフトを駆動する。
これにより、通過する紙は、細断状に破砕され、該ケース底部の紙落下口から、シュレッダー下方のゴミ箱(basket or bin)に自然に落下し、収集することができる。
【０００４】
該ゴミ箱がいっぱいになると、それを空ける必要がある。その一般的なやり方は、先ず、該シュレッダーをゴミ箱上方の開口部から取り出し、両者を分離し、次に、該ゴミ箱内の破砕紙を袋に空けた後、廃棄或いはリサイクルに出す、というものである。
一方、安全に対する考慮から、シュレッダーのケース底部付近には、通常はタッチ式安全スイッチを設置する。該ゴミ箱は、該安全スイッチの位置に相対してタッチバーを設置する。
そのため、シュレッダーをゴミ箱上方の開口部に置き、しかも該安全スイッチが該タッチバーにより押されると、該シュレッダーの制御回路(control circuit)は起動され、破砕作業が行われる。
反対に、該シュレッダーが、該ゴミ箱上方の開口部から取り出され、安全スイッチとタッチバーが離れると、該シュレッダーの制御回路はシャットダウンされる。こうして使用者の安全を守ることができる。
【０００５】
しかし、もし該シュレッダーを該ゴミ箱上方の開口部から取り出した後に、スクリュードライバー等の工具で、故意に該安全スイッチを押せば、該シュレッダーの制御回路は、やはり起動されてしまう。
よって、安全スイッチに誤って触れる可能性は依然として存在し、すなわち安全性の観点から言えば、なお改善の余地があると言える。
【考案の概要】
【考案が解決しようとする課題】
【０００６】
本考案の目的は、シュレッダー安全スイッチ装置を提供する。
【課題を解決するための手段】
【０００７】
シュレッダーケース底部の紙落下口四周に、複数のスイッチを設置し、任意のスイッチは導線により、別のスイッチと電気的に接続しスイッチ回路を形成し、スイッチ回路はさらに導線により、シュレッダー制御回路と連接しループを形成し、スイッチが外力により触発されると通電し、導線により次のスイッチに伝えられ、仮に次のスイッチが外力に触発されていなければ、伝送は中断され継続せず、つまりスイッチ回路はシュレッダー制御回路とループを形成することはできず、シュレッダーは作動しないシュレッダー安全スイッチ装置を提供することである。
【考案の効果】
【０００８】
従来の安全スイッチと比較すると、本考案安全スイッチの多数のスイッチを連接する回路の方式は、より高い安全性を保証することができる。
【図面の簡単な説明】
【０００９】
【図１】本考案のシュレッダー安全スイッチ装置の配置図である。
【考案を実施するための形態】
【００１０】
図１は本考案のシュレッダー安全スイッチ装置の配置図である。図に示すように、シュレッダー１の底部には、開放式の紙落下口１１を設置し、紙落下口１１四周には、複数のスイッチ２を設置する。
任意のスイッチ２はすべて、導線３により、別のスイッチ２と電気的に連接し、スイッチ回路を形成し、スイッチ回路は、さらに導線４により、シュレッダー制御回路(図示なし)と連接し、ループを形成する。
【００１１】
スイッチは、一種の回路板で、外力により回路板を触発すると通電し、次の回路板に伝達する。仮に、次の回路板が外力により触発されていなければ、電力伝送は中断され、継続されない。つまり、スイッチ回路は、シュレッダー制御回路とループを形成することができず、シュレッダーは作動しない。
【００１２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１３】
１  シュレッダー
１１  紙落下口
２  スイッチ
３、４  導線
【図１】
0003149425.tif 000003
(57)【要約】      （修正有）【課題】遮音性能を高めると同時に構造柱を隠蔽する金属製折版、ルーバー等により意匠性を高める防音パネルを提供する。【解決手段】防音パネルは、制振材２を金属遮音パネル１の内側に接着することにより、吸音材４を透過した音源からの音波の空気振動が金属遮音パネル１に到達する前に、これを低減させることができる。防音パネルの金属遮音パネル１の部分に化粧材を装着できる金属下地材１０を一体としたものであり、その金属下地材１０にデザインパネル８やルーバー、パンチングメタル、金属製ミラー、アートパネル、サイディング、各種材料の面格子、電球装飾、発光ダイオード装飾、等の化粧材を装着することが可能である。その化粧材により、防音パネルを取り付けるためのH鋼等の構造柱を隠蔽し、意匠性に富んだ防音塀を、従来のものよりも短工期で経済的に施工することができる。【選択図】図２
0003149427.tif 000002
【実用新案登録請求の範囲】
【請求項１】
防音パネル正面に金属製折版やルーバー等のデザインパネル（８）を金属下地材（１０）装着し、防音パネルを取り付ける構造柱（９）を隠蔽し、防音パネルの外観の意匠性を高めることを特徴とする防音パネルで、上面、正面、底面とが一体となった金属遮音パネル（１）の内側に、制振材（２）を接着したものと、金属パンチングプレート背面パネル（３）との間に吸音材（４）を装着し、左右の金属側面パネル（５）で一本化、箱状にし、底面にシール材（６）を装着し、金属遮音パネルの両端にシール材（７）を装着して、遮音性能を高めた防音パネル。
【考案の詳細な説明】
【技術分野】
【０００１】
本考案は、防音パネルの遮音性能を高めると同時に構造柱を隠蔽する金属製折版、ルーバー等により意匠性を高めることに関するものである。
【背景技術】
【０００２】
従来の防音パネルは主として、高速道路用に開発されたものであり、空調室外機、コンプレッサー、送風機等の低い周波数帯域に卓越した騒音レベルを示す騒音に対して、余り防音効果がなかった。
【０００３】
従来の防音パネルの正面は亜鉛鉄板のみの平面的なもので、意匠性の非常に低いものであった。
【考案の開示】
【考案が解決しようとする課題】
【０００４】
従来の防音パネルは２５０Hz以下の低い周波数帯域に大きな防音効果（音響透過損失値）がない点である。
【０００５】
従来の防音パネルの正面は、意匠性の非常に低いものであったので、全て別の下地を施工して、そこにデザインパネルを新たに装着しなければならないことから、施工に多大な時間と費用がかかる点である。
【課題を解決するための手段】
【０００６】
本考案の防音パネルは、遮音層である金属遮音パネル（１）の内側に制振材（２）を密着させることによって、２５０Hz以下の低い周波数の空気振動を低く抑えると共に、防音パネル上下のジョイント部である底面外側にシール材を装着することによって、ジョイント部からの音もれを防ぐことによって、大きな防音効果（音響透過損失値）を得るものである。
【０００７】
本考案の防音パネルは、遮音層である金属遮音パネル（１）の外側に、金属下地材（１０）を取り付け、その金属下地材（１０）に意匠性に富んだ金属折版やルーバー等のデザインパネル（８）を装着することによって、防音パネル取り付け用構造柱を隠蔽し、意匠性の高いものとすることができる。
【図面の簡単な説明】
【０００８】
【図１】本考案の断面図。
【図２】本考案の平面図。
【符号の説明】
【０００９】
（１）金属遮音パネル
（２）制振材
（３）金属パンチングプレート背面パネル
（４）吸音材
（５）側面パネル
（６）底面シール材
（７）正面左右シール材
（８）デザインパネル
（９）構造柱
（１０）金属下地材
（１１）固定金物
【図１】
0003149427.tif 000003
【図２】
0003149427.tif 000004